(57)【特許請求の範囲】
【請求項１】
雪を掬い取る掬部本体と、この掬部本体に取り付けられたパイプ状の柄部とからなるスノーダンプにおいて、
前記掬部本体の両側先端部に一体成形されると共に断面三角形状に尖らせて成形され、前記柄部の先端に嵌合してその開口を塞ぐキャップと、
前記掬部本体の両側部に縦割りの半円筒状に形成されて前記柄部をその上側から被せられるように嵌合支持する支持溝と
を備えたことを特徴とするスノーダンプ。
【請求項２】
請求項１に記載のスノーダンプにおいて、
前記掬部本体を熱可塑性樹脂で成形したことを特徴とするスノーダンプ。
【請求項３】
請求項２に記載のスノーダンプにおいて、
前記熱可塑性樹脂としてポリカーボネートを用いたことを特徴とするスノーダンプ。
【発明の詳細な説明】
【０００１】
【産業上の利用分野】
本発明は、雪を掬い取るスノーダンプに関し、特に柄部の取り付け構造を改良したスノーダンプに関する。
【０００２】
【従来の技術】
従来のスノーダンプとしては、例えば実開昭６１−４５４２３号公報記載の「除雪器」や、実開昭６３−６５７２１号公報記載の「除雪具」が知られている。
【０００３】
第１従来例の「除雪器」の場合は、図６から図８に示すように、雪を掬い取るシャベル主体１と、このシャベル主体１に一体的に取り付けられた把手部２とから構成されている。把手部２は平面形状をコ字状に金属パイプ（主に鉄パイプ）を折り曲げて形成され、シャベル主体１の両側に数個のねじ３でそれぞれ固定されている。さらに、把手部２の先端は、図８に示すように、潰されてねじ３で固定されている。
【０００４】
シャベル主体１の先端には補強板材４が取り付けられている。この補強板材４は、シャベル主体１を硬くなった雪や、雪と路面との間に刺し込んだりするときのように、硬いものと接触したときに欠けたり、摩耗したりしないように取り付けられたものである。
【０００５】
第２従来例の「除雪具」も前記第１従来例とほぼ同様に構成されている。具体的には、図９に示すように、シャベル主体５と把手部６とから構成されている。把手部６は、シャベル主体５の周縁に形成されたつば部７に数個のねじ８でそれぞれ固定されている。この場合も、把手部６の先端は潰され、ねじ８で固定されている。さらに、シャベル主体５の先端には前記第１従来例と同様の補強板材９が取り付けられている。
【０００６】
【発明が解決しようとする課題】
ところで、前記各従来例では、把手部２，６の先端を潰して雪の侵入を防いでいるが、単に潰すだけでは完全に隙間を塞いでしまうことはできない。さらに、各把手部２，６の先端は、除雪器（除雪具）を雪に刺し込む方向を向いている。このため、結果的に各把手部２，６の先端もシャベル主体１と一緒に雪に刺し込まれる状態になり、僅かな隙間から雪が侵入し、内部に水分が溜まって把手部２を腐食させてしまうという問題点がある。
【０００７】
さらに、補強板材４，９はシャベル主体１，５と別部材としてシャベル主体１，５に取り付けられる。このため、補強板材４，９が路面等の硬い部分に接触して擦り減ってしまうと、補強板材４，９がシャベル主体１，５から外れたり、擦り切れて口を空けてしまうという問題点がある。
【０００８】
本発明は以上述べたような問題点に鑑みてなされたもので、把手部内への雪の侵入を防いで腐食を防止すると共に把手部の先端を保護するスノーダンプを提供することを目的とする。
【０００９】
【課題を解決するための手段】
前述した課題を解決するために第１の発明に係るスノーダンプは、雪を掬い取る掬部本体と、この掬部本体に取り付けられたパイプ状の柄部とからなるスノーダンプにおいて、前記掬部本体の両側先端部に一体成形されると共に断面三角形状に尖らせて成形され、前記柄部の先端に嵌合してその開口を塞ぐキャップと、前記掬部本体の両側部に縦割りの半円筒状に形成されて前記柄部をその上側から被せられるように嵌合支持する支持溝とを備えたことを特徴とする。
【００１０】
第２の発明に係るスノーダンプは、前記掬部本体を熱可塑性樹脂で成形したことを特徴とする。
【００１１】
第３の発明に係るスノーダンプは、前記熱可塑性樹脂としてポリカーボネートを用いたことを特徴とする。
【００１２】
【作用】
第１の発明のスノーダンプでは、作業者が柄部を手で持って掬部本体を雪に刺し込んでその雪を掬い取り、他の場所に移しかえる。この作業において、掬部本体を雪に刺し込んでも、柄部の先端はキャップに嵌合しているため、この先端から内部に雪が侵入することがなくなり、柄部の腐食を確実に防止することができる。このとき、キャップは断面三角形状に尖らせて成形されているため、容易に雪に刺し込むことができる。また、掬部本体の両側部に設けられた縦割り半円筒状の支持溝は、柄部の先端がキャップに嵌合した状態で、この柄部に嵌合して支持するため、組み立てが容易になると共に、掬部本体と柄部との間の強度を十分に取ることができる。
【００１３】
第２の発明では、前記掬部本体を熱可塑性樹脂で成形したので、掬部本体の成形が容易で、スノーダンプが安価になり、さらに軽くて使い易いものとなる。
【００１４】
第３の発明では、掬部本体を成形する熱可塑性樹脂としてポリカーボネートを用いたので、スノーダンプを耐摩耗性に優れたものとすることができる。
【００１５】
【実施例】
以下、本発明の実施例について図面を参照しながら説明する。図１は本実施例に係るスノーダンプの特徴部分を示す要部斜視図、図２はスノーダンプの側面図、図３はスノーダンプの斜視図、図４はスノーダンプの柄部を示す斜視図、図５はブラインドリベットのかしめ状態を示す模式図である。
【００１６】
本実施例のスノーダンプ１０は、図２及び図３に示すように主に、雪を掬い取る掬部本体１１と、この掬部本体１１に一体的に取り付けられた柄部１２とから構成されている。
【００１７】
柄部１２は図４に示すように、１本の金属パイプを折り曲げて形成されている。具体的な形状としては、平面形状をコ字状に、側面形状を角ばったＳ字状に折り曲げて形成されている。さらに、補強用の横棒１２Ａが取り付けられている。この柄部１２のそれぞれの先端１２Ｂは従来例のように潰されることなく、円形状に開口している。
【００１８】
掬部本体１１は、図２及び図３に示すように、平面形状がほぼ四角形、側面形状がほぼ三角形の皿状に形成されている。この掬部本体１１の先端部１１Ａは、雪に刺し込んだり、雪と路面との間に刺し込んだりできるように、断面三角形状に尖らせて成形されている。掬部本体１１の両側部１１Ｂ及び基端部１１Ｃには柄部１２を嵌合支持するための支持溝１３，１４が形成されている。各支持溝１３，１４は縦割りの半円筒状に形成され、柄部１２の横棒１２Ａと、この横棒１２Ａから先端１２Ｂ側の部分１２Ｃ（図４参照）にそれぞれ上側から被せられるように嵌合する。
【００１９】
さらに、両側部１１Ｂの支持溝１３の先端（掬部本体１１の先端部１１Ａ側の端部）にはキャップ１５が形成されている。このキャップ１５は、図１に示すように、支持溝１３に連続して形成されている。具体的には、支持溝１３の延長上に設けられた円筒部として構成されている。このキャップ１５は柄部１２の先端１２Ｂを嵌合させてその開口を塞ぐことができればよいため、筒長はあまり長くする必要はない。
【００２０】
以上の構成の掬部本体１１及びキャップ１５は熱可塑性樹脂により一体成形されている。この熱可塑性樹脂としては、ポリカーボネートを用いる。
【００２１】
柄部１２は、その先端１２Ｂがキャップ１５に嵌合し、さらに掬部本体１１の支持溝１３，１４に下側から嵌合した状態で、互いに固定される。この固定手段としては、図５に示すブラインドリベット１７が用いられる。この場合は、図１に示すキャップ１５の下側面に１個または２個の固定用穴を空ける。柄部１２にも、この柄部１２の先端１２Ｂがキャップ１５に嵌合した状態で、キャップ１５に空けた固定用穴に整合する位置に固定用穴が空けられる。そして、各固定用穴にブラインドリベット１７を通し（図５（Ａ））、内部のピン１７Ａを引張ってピン１７Ａの頭で筒部１７Ｂを押し広げ、頭を残してピン１７Ａを抜き取る（図５（Ｂ））。これにより、ブラインドリベット１７がかしめられる（図５（Ｃ））。
【００２２】
これ以外にも、支持溝１３，１４の数箇所で掬部本体１１と柄部１２とがブラインドリベット１７によって固定される。
【００２３】
以上のように構成されたスノーダンプ１０では、作業者が柄部１２を手で持って掬部本体１１を雪に刺し込んでその雪を掬い取り、他の場所に移しかえる。この作業において、掬部本体１１を雪に刺し込んでも、柄部１２の先端１２Ｂはキャップ１５に嵌合しているため、この先端１２Ｂから内部に雪が侵入することがなくなり、柄部１２の腐食を確実に防止することができる。
【００２４】
また、柄部１２の先端１２Ｂを潰す必要がないため、その分だけ製作工程を減らすことができる。さらに、掬部本体１１及びキャップ１５は熱可塑性樹脂により一体成形するため、製作が容易で、前記製作工程の減少と相俟ってコスト低減を図ることができると共に、軽くて使いやすいスノーダンプ１０を提供することができる。
【００２５】
また、掬部本体１１はポリカーボネートで成形されているため、耐摩耗性に優れ、路面等に擦れて摩耗することが少なくなる。さらに、別部材として補強板材４，９を取り付ける必要がないため、この補強板材４，９が外れたり、摩耗して口を空けたりすることがなくなる。これにより、スノーダンプ１０に対する信頼性が向上する。
【００２６】
さらに、掬部本体１１と柄部１２との固定作業は、柄部１２の先端１２Ｂをキャップ１５に嵌合して掬部本体１１と柄部１２との間の位置決めをしてから、ブラインドリベット１７で数箇所固定するので、組み立てが容易になると共に、掬部本体１１と柄部１２との間の強度を十分に取れる。さらに、柄部１２の先端１２Ｂはキャップ１５に嵌合されるため、この先端１２Ｂが路面に擦れて削れたり、変形したりすることがなくなる。
【００２７】
なお、前記実施例では、掬部本体１１及びキャップ１５を成形する熱可塑性樹脂としてポリカーボネートを用いたが、これに限らずＡＢＳ樹脂を用いてもよい。これによっても前記同様の効果を奏することができる。また、路面等の硬いものに接触することがないような態様で使用する場合にはポリプロピレンを用いて掬部本体１１等を成形してもよい。この場合、ポリプロピレンが軽くて成形が容易なため、さらにコスト低減を図ることができる。
【００２８】
また、キャップ１５は掬部本体１１の先端部１１Ａ側に設けたが、この先端部１１Ａ側に限らず、掬部本体１１及び柄部１２の大きさ等に合せて支持溝１３，１４の中間位置等の他の位置に設けてもよい。
【００２９】
また、本実施例では柄部１２を側面Ｓ字状に形成したが、くの字状に形成してもよい。さらに、強度的に問題にならない場合には、補強用の横棒１２Ａはなくてもよい。
【００３０】
さらに、ブラインドリベット１７で掬部本体１１と柄部１２とを固定したが、接着剤やボルト等の他の手段で固定してもよい。
【００３１】
【発明の効果】
以上詳細に説明したように本発明によれば、次の効果を奏することができる。
【００３２】
（１）  掬部本体を雪に刺し込んでも、柄部の先端はキャップに嵌合しているため、この先端から内部に雪が侵入することがなくなり、柄部の腐食を確実に防止することができる。
【００３３】
（２）  柄部の先端を潰す必要がないため、その分だけ製作工程を減らすことができる。さらに、キャップは掬部本体と一体成形するため、製作が容易で、製作工程の減少と相俟ってコスト低減を図ることができる。
【００３４】
（３）  掬部本体を熱可塑性樹脂で成形したので、掬部本体の成形が容易で、スノーダンプが安価になり、さらに軽くて使い易いものとなる。
【００３５】
（４）  掬部本体はポリカーボネートで成形されているため、耐摩耗性に優れ、路面等に擦れて摩耗することが少なくなる。さらに、別部材として補強板材を取り付ける必要がないため、補強板材が外れる等の問題がなくなり、スノーダンプに対する信頼性が向上する。
【００３６】
（５）  掬部本体と柄部との固定作業は、柄部の先端をキャップに嵌合して掬部本体と柄部との間の位置決めをしてから、リベット等の固定手段で固定するため、組み立てが容易になると共に、掬部本体と柄部との間の強度を十分に取ることができるようになる。
【００３７】
（６）  柄部の先端はキャップに嵌合されるため、この先端が路面に擦れて削れたり、変形したりすることがなくなる。
【図面の簡単な説明】
【図１】本発明に係るスノーダンプの特徴部分を示す要部斜視図である。
【図２】本発明に係るスノーダンプを示す側面図である。
【図３】本発明に係るスノーダンプを示す斜視図である。
【図４】本発明に係るスノーダンプの柄部を示す斜視図である。
【図５】ブラインドリベットのかしめ状態を示す模式図である。
【図６】第１従来例に係る除雪器を示す側面図である。
【図７】第１従来例に係る除雪器を示す平面図である。
【図８】第１従来例に係る除雪器を示す要部断面図である。
【図９】第２従来例に係る除雪具を示す斜視図である。
【符号の説明】
１０…スノーダンプ、１１…掬部本体、１２…柄部、１３，１４…支持溝、１５…キャップ。
【図１】
0003625490.tif 000002
【図２】
0003625490.tif 000003
【図３】
0003625490.tif 000004
【図４】
0003625490.tif 000005
【図５】
0003625490.tif 000006
【図６】
0003625490.tif 000007
【図７】
0003625490.tif 000008
【図８】
0003625490.tif 000009
【図９】
0003625490.tif 000010